(57)【要約】      （修正有）【課題】簡素な構成で総合監視盤ユニットと通信できること。【解決手段】信号線Ｌ１を介して接続された複数の火報用端末機器ＡＤ１〜３を監視制御して火災を検出する火災受信機ユニット１０と、火災以外のその他の設置環境の異常を検出する異常監視盤ユニットと、火災受信機ユニットと異常監視盤ユニットとを監視制御して警報する総合監視盤ユニット３０とを備えた総合監視盤１００であって、総合監視盤は、火災受信機ユニット、異常監視盤ユニット、及び総合監視盤ユニットを筐体内部に備え、かつ、総合監視盤ユニットの表示操作部を筐体外部から表示操作可能に配置するものであり、火災受信機ユニットは、火災受信機ユニットの設定データを記憶する記憶部１６と、設定データ登録器４０を着脱可能なポート１７とを備え、火災受信機ユニットは、ポートを介して、総合監視盤ユニットと接続される。【選択図】図１
2013037483.tif 000002
【特許請求の範囲】
【請求項１】
信号線を介して接続された複数の火報用端末機器を監視制御して火災を検出する火災受信機ユニットと、信号線を介して接続された火報用端末機器以外の端末機器を監視制御して火災以外のその他の設置環境の異常を検出する異常監視盤ユニットと、前記火災受信機ユニットと異常監視盤ユニットとを監視制御して警報する総合監視盤ユニットとを備えた総合監視盤であって、
前記総合監視盤は、前記火災受信機ユニット、異常監視盤ユニット、及び総合監視盤ユニットを筐体内部に備え、かつ、前記総合監視盤ユニットの表示操作部を前記筐体外部から表示操作可能に配置するものであり、
前記火災受信機ユニットは、当該火災受信機ユニットの設定データを記憶する記憶部と、当該記憶部に当該火災受信機ユニットの設定データを設定可能な設定データ登録器を着脱可能なポートとを備え、
前記火災受信機ユニットは、前記ポートを介して、前記総合監視盤ユニットと接続される
ことを特徴とする総合監視盤の火災受信機ユニット。
【請求項２】
請求項１において、
前記総合監視盤ユニットは、
制御線を介して警報用端末機器に接続されて、前記火災受信機ユニットから送信される火災又は故障を示す信号を受信したときに、前記警報用端末機器から警報出力させる警報出力部を備え、
一方、前記火災受信機ユニットは、
音響部と、
当該音響部による警報出力の有無に関する設定データを記憶する音響部機能設定記憶部と、
当該火災受信機ユニットが火災又は故障を検出したときに、前記音響部機能設定記憶部に記憶された設定データを参照して、前記音響部による警報出力の有無を制御する警報制御部とを備えた
ことを特徴とする総合監視盤の火災受信機ユニット。
【請求項３】
請求項１又は２において、
前記総合監視盤ユニットの表示操作部は、前記警報用端末機器の警報出力停止、又は、前記火報用端末機器の復旧のために操作され、
一方、前記火災受信機ユニットは、前記筐体外部に配置されて、前記警報用端末機器の警報出力停止、又は、前記火報用端末機器の復旧のために操作される増設操作部を備えた
ことを特徴とする総合監視盤の火災受信機ユニット。
【請求項４】
請求項１〜３において、
前記火災受信機ユニットは、
コイルと接点とを有する移報出力用のリレー回路と、
通常時におけるコイルの励磁状態に関する設定データを記憶するリレー機能設定記憶部と、
当該リレー機能設定記憶部に記憶された設定データを参照して、通常時におけるコイルの励磁状態を励磁又非励磁に制御し、又、火災又は故障を検出したときに、前記コイルの励磁状態を変化させて、前記接点の接続状態を切り替えることにより、前記リレー回路から移報信号を出力させる移報制御部とを備えた
ことを特徴とする総合監視盤の火災受信機ユニット。
【発明の詳細な説明】
【技術分野】
【０００１】
本発明は、総合監視盤の火災受信機ユニットに関する。
【背景技術】
【０００２】
火災受信機は、一般の建物の他にも、例えば船舶などにも設置されて、設置環境における火災を検出して警報するものである（例えば、特許文献１参照）。
【先行技術文献】
【特許文献】
【０００３】
【特許文献１】特開２００３−１３２４５２公報
【発明の開示】
【発明が解決しようとする課題】
【０００４】
設置物件によっては、火災受信機の他にも、火災以外のその他の異常を検出して警報するその他の監視盤が設置されることがある。例えば、船舶では、火災受信機の他に、船舶内の浸水を検出して警報する浸水監視盤が設置され、例えば管理人室などに併設されていたので、管理人による監視が煩雑であった。
【０００５】
そのため、火災受信機とその他の監視盤とを一つの筐体内に収納し、総合監視盤として、共用の表示操作部により表示操作可能とすることが望まれている。
【０００６】
そして、このような構成とするとき、火災受信機ユニットとしては、簡素な構成で総合監視盤ユニットと通信できることが要望されている。また、総合監視盤ユニットによる警報とのハウリングなどを考慮して、警報の有無を設定できるようにしたいという要望もある。また、共用の表示操作部が破損した場合にも、必要な操作を簡便に可能とすることが要望されている。また、火災受信機の機能として、リレー回路によって、外部機器に移報出力する機能があるが、その際に、単に火災等の発生時に移報出力するのか、又は、リレー回路の破損した場合にも移報出力して、外部機器に通知したいという要望もある。
【０００７】
本発明は、簡素な構成で総合監視盤ユニットと通信できること、警報の有無を設定できること、共用の表示操作部が破損した場合にも、必要な操作を簡便に可能とすること、外部機器に通知する移報要因として、リレー回路の故障を含めるか否かを設定できることを目的とする。
【課題を解決するための手段】
【０００８】
この発明は、信号線を介して接続された複数の火報用端末機器を監視制御して火災を検出する火災受信機ユニットと、信号線を介して接続された火報用端末機器以外の端末機器を監視制御して火災以外のその他の設置環境の異常を検出する異常監視盤ユニットと、前記火災受信機ユニットと異常監視盤ユニットとを監視制御して警報する総合監視盤ユニットとを備えた総合監視盤であって、前記総合監視盤は、前記火災受信機ユニット、異常監視盤ユニット、及び総合監視盤ユニットを筐体内部に備え、かつ、前記総合監視盤ユニットの表示操作部を前記筐体外部から表示操作可能に配置するものであり、前記火災受信機ユニットは、当該火災受信機ユニットの設定データを記憶する記憶部と、当該記憶部に当該火災受信機ユニットの設定データを設定可能な設定データ登録器を着脱可能なポートとを備え、前記火災受信機ユニットは、前記ポートを介して、前記総合監視盤ユニットと接続されることを特徴とする。
【０００９】
また、前記総合監視盤ユニットは、制御線を介して警報用端末機器に接続されて、前記火災受信機ユニットから送信される火災又は故障を示す信号を受信したときに、前記警報用端末機器から警報出力させる警報出力部を備え、一方、前記火災受信機ユニットは、音響部と、当該音響部による警報出力の有無に関する設定データを記憶する音響部機能設定記憶部と、当該火災受信機ユニットが火災又は故障を検出したときに、前記音響部機能設定記憶部に記憶された設定データを参照して、前記音響部による警報出力の有無を制御する警報制御部とを備えたことを特徴とする。
【００１０】
また、前記総合監視盤ユニットの表示操作部は、前記警報用端末機器の警報出力停止、又は、前記火報用端末機器の復旧のために操作され、一方、前記火災受信機ユニットは、前記筐体外部に配置されて、前記警報用端末機器の警報出力停止、又は、前記火報用端末機器の復旧のために操作される増設操作部を備えたことを特徴とする。
【００１１】
また、前記火災受信機ユニットは、コイルと接点とを有する移報出力用のリレー回路と、通常時におけるコイルの励磁状態に関する設定データを記憶するリレー機能設定記憶部と、当該リレー機能設定記憶部に記憶された設定データを参照して、通常時におけるコイルの励磁状態を励磁又非励磁に制御し、又、火災又は故障を検出したときに、前記コイルの励磁状態を変化させて、前記接点の接続状態を切り替えることにより、前記リレー回路から移報信号を出力させる移報制御部とを備えたことを特徴とする。
【発明の効果】
【００１２】
この発明は、信号線を介して接続された複数の火報用端末機器を監視制御して火災を検出する火災受信機ユニットと、信号線を介して接続された火報用端末機器以外の端末機器を監視制御して火災以外のその他の設置環境の異常を検出する異常監視盤ユニットと、前記火災受信機ユニットと異常監視盤ユニットとを監視制御して警報する総合監視盤ユニットとを備えた総合監視盤であって、前記総合監視盤は、前記火災受信機ユニット、異常監視盤ユニット、及び総合監視盤ユニットを筐体内部に備え、かつ、前記総合監視盤ユニットの表示操作部を前記筐体外部から表示操作可能に配置するものであり、前記火災受信機ユニットは、当該火災受信機ユニットの設定データを記憶する記憶部と、当該記憶部に当該火災受信機ユニットの設定データを設定可能な設定データ登録器を着脱可能なポートとを備え、前記火災受信機ユニットは、前記ポートを介して、前記総合監視盤ユニットと接続されるものであり、火災受信機ユニットは、設定データの初期登録時や更新登録時など以外に、普段はほとんど利用されない設定データ登録器用のポートを利用して、常時、総合監視盤ユニットと通信できて、部品点数を削減して簡素な構成とすることができる。
【００１３】
また、前記総合監視盤ユニットは、制御線を介して警報用端末機器に接続されて、前記火災受信機ユニットから送信される火災又は故障を示す信号を受信したときに、前記警報用端末機器から警報出力させる警報出力部を備え、一方、前記火災受信機ユニットは、音響部と、当該音響部による警報出力の有無に関する設定データを記憶する音響部機能設定記憶部と、当該火災受信機ユニットが火災又は故障を検出したときに、前記音響部機能設定記憶部に記憶された設定データを参照して、前記音響部による警報出力の有無を制御する警報制御部とを備えたものであるので、総合監視盤ユニットによる警報とのハウリングなどを考慮して、警報の有無を設定できる。
【００１４】
また、前記総合監視盤ユニットの表示操作部は、前記警報用端末機器の警報出力停止、又は、前記火報用端末機器の復旧のために操作され、一方、前記火災受信機ユニットは、前記筐体外部に配置されて、前記警報用端末機器の警報出力停止、又は、前記火報用端末機器の復旧のために操作される増設操作部を備えたものであるので、共用の表示操作部が破損した場合にも、必要な操作を、筐体外部から簡便に可能とすることができる。
【００１５】
また、前記火災受信機ユニットは、コイルと接点とを有する移報出力用のリレー回路と、通常時におけるコイルの励磁状態に関する設定データを記憶するリレー機能設定記憶部と、当該リレー機能設定記憶部に記憶された設定データを参照して、通常時におけるコイルの励磁状態を励磁又非励磁に制御し、又、火災又は故障を検出したときに、前記コイルの励磁状態を変化させて、前記接点の接続状態を切り替えることにより、前記リレー回路から移報信号を出力させる移報制御部とを備えたものであるので、外部機器に通知する移報要因として、リレー回路の故障を含めるか否かを設定できる。
【図面の簡単な説明】
【００１６】
【図１】本発明の実施の形態である総合監視盤の構成図である。
【発明を実施するための形態】
【００１７】
発明を実施するための最良の形態は、以下の実施の形態である。
図１は本発明の実施の形態である総合監視盤の構成図である。総合監視盤１００は、例えば、船舶内の管理人室などに設置されている。総合監視盤１００の筐体１０１内には、火災受信機ユニット１０と浸水監視盤ユニット２５と総合監視盤ユニット３０とが収納されている。筐体１０１は、詳細には図示しないが、本体（図示せず）と本体の前面開口部を覆う扉（図示せず）とによって構成されており、常時は、施錠部（図示せず）によって施錠されている。扉には、開口部（図示せず）が設けられ、この開口部内に総合監視盤ユニット３０の表示操作部３１が配置されて、筐体１０１の外部から表示操作可能となっている。一方、火災受信機ユニット１０と浸水監視盤ユニット２５とは、施錠部による施錠を開放しない限り、常時は表示操作不能となる筐体１０１内の位置に配置されている。
【００１８】
火災受信機ユニット１０は、信号線Ｌ１を介して接続された複数の火報用端末機器Ｓを監視制御して火災を検出する火災受信機の機能を有するユニットである。浸水監視盤ユニット２５（異常監視盤ユニットの一例）は、信号線Ｌ２を介して接続された浸水検知センサＷ（火報用端末機器以外の端末機器の一例）を監視制御して浸水（火災以外のその他の設置環境の異常の一例）を検出する浸水監視盤の機能を有するユニットである。総合監視盤ユニット３０は、火災受信機ユニット１０と異常監視盤ユニット２５とを監視制御して警報するユニットであり、火災受信機ユニット１０及び異常監視盤ユニット２５を通信により監視制御し、共用の表示操作部３１を用いて、火災受信機ユニット１０及び異常監視盤ユニット２５から送信される必要な情報（信号）を集約して表示し、又、制御信号を送信するユニットである。
【００１９】
つぎに、各ユニット１０、２５、３０について説明する。まず、火災受信機ユニット１０について説明する。火災受信機ユニット１０は、操作部１１と、表示部１２と、端末伝送部１３と、音響部１４と、制御部１５と、記憶部１６と、ポート１７と、電源部１８と、リレー回路１９と、増設操作部２０とを有する。火災受信機ユニット１０は、火災、故障などを検出したときに、必要な警報を行い、火災、故障などを示す信号を、総合監視盤ユニット３０に通知する。
【００２０】
操作部１１は、管理人等が必要な操作入力を行う。表示部１２は、火災受信機ユニット１０が検出する火災、故障などの必要な情報を表示する。端末伝送部１３は、個別アドレスＡＤが付与された火災感知器などの火報用端末機器Ｓが、信号線Ｌ１を介して接続され、火報用端末機器Ｓとの間で、信号伝送を行う。制御部１５は、火災受信機ユニット１０の全体を制御する。電源部１８は、火災受信機ユニット１０の各部に電源を供給する。記憶部１６は、各種の設定データを記憶する。記憶部１６は、音響部機能設定記憶部１６ａと、操作部機能設定記憶部１６ｂと、リレー機能設定記憶部１６ｃとを有する（詳細は後述する）。
【００２１】
ポート１７は、配線Ｈ１を介して、総合監視盤ユニット３０と接続されて、火災受信機ユニット１０と総合監視盤ユニット３０との間との通信経路となる。ここで、ポート１７は、記憶部１６の各種設定データを設定可能な設定データ登録器４０が、設定データの初期登録時、更新登録時などに着脱可能に接続されるポートである。このように、設定データの初期登録時や更新登録時など以外に、普段はほとんど利用されない設定データ登録器４０の接続用のポートを、総合監視盤ユニット３０の接続用のポートとして兼用することで、簡易な構成で、常時、総合監視盤ユニット３０と通信可能にできる。
【００２２】
音響部１４は、火災受信機ユニット１０が火災、故障などを検出したときに、必要な警報を行う。ここで、火災受信機ユニット１０が火災又は故障を検出したときに、後述するように、音響部１４のみならず、総合監視盤ユニット３０に接続されたベルＢ、ブザーＢＺ（警報用端末機器の一例）が鳴動する。そして、設置物件によっては、総合監視盤ユニット３０による警報と音響部１４による警報とのハウリングなどを考慮して、音響部１４の警報の有無を設定できるようにしたいという要望がある。そのため、記憶部１６には、音響部機能設定記憶部１６ａが設けられており、音響部１４による警報出力の有無に関する設定データとして、「警報出力なし」又は「警報出力あり」が設定され記憶されている。設定作業は、例えば、設定データ登録器４０により行われる。なお、本実施の形態では、「警報出力なし」が設定され記憶されているものとする。
【００２３】
そして、制御部１５（警報制御部の一例）は、火災受信機ユニット１０が火災又は故障を検出したときに、音響部機能設定記憶部１６ａに記憶された設定データを参照して、音響部１４による警報出力の有無を制御する。
【００２４】
増設操作部２０は、ベルＢ、ブザーＢＺの警報出力を停止するために操作されるベル・ブザー停止スイッチ２０ａと、火報用端末機器Ｓの復旧のために操作される復旧スイッチ２０ｂとを有する。増設操作部２０は、総合監視盤ユニット３０の表示操作部３１の故障時に操作するために設けられた操作部であり、筐体１０１の外部、本実施の形態では、筐体１０１の外部に近接して配置される。つまり、総合監視盤ユニット３０の表示操作部３１の故障時には、火災受信機ユニット１０の操作部１１を利用することも可能であるが、操作部１１を操作する場合は、筐体１０１の施錠部の施錠を解除する必要がある。そのため、増設操作部２０を筐体１０１の外部に配置することによって、共用の表示操作部３１が破損した場合にも、必要な操作を、筐体１０１外部から簡便に可能とすることができる。
【００２５】
なお、設置物件によっては、火災受信機ユニット１０の操作部１１による操作に関して、有効とするか否かを設定できるようにしたいという要望がある。そのため、記憶部１６には、操作部機能設定記憶部１６ｂが設けられている。操作部機能設定記憶部１６ｂは、操作部１１の操作の有効とするか否かを設定するための設定データとして、「有効」又は「無効」が設定され記憶されている。なお、「無効」が設定されていても、ベル・ブザー同時停止スイッチ２０ａ、復旧スイッチ２０ｂと同様機能のスイッチ操作は有効のまま保持する。設定作業は、例えば、設定データ登録器４０により行われる。また、本実施の形態では、「無効」が設定され記憶されているものとする。
【００２６】
そして、制御部１５（操作制御部の一例）は、操作部機能設定記憶部１６ａに記憶された設定データを参照して、操作部１１による操作を有効とするか否かを制御する。
【００２７】
リレー回路１９は、コイル１９ａと接点１９ｂとを有し、接点１９ｂの端子ａ、ｂ、ｃに外部装置５０が接続されて、火災受信機ユニット１０が火災、故障などを検出したときに移報出力する回路である。リレー回路１９は、直流電源１９ｃと、コイル１９ａと、トランジスタ１９ｄのコレクタが直列に接続され、トランジスタ１９ｄのエミッタが接地され、トタンジスタ１９ｄのベースが制御部１５に接続されている。接点１９ｂは、ｃ接点であり、制御部１５からオン信号が出力されてない場合は、トランジスタ１９ｄのコレクタ−エミッタ間が導通しないことにより、コイル１９ａが非励磁状態となり、これによって、接点１９ｂの端子ｃと端子ａとの間が非接続となり、端子ｃと端子ｂとの間が接続される。一方、制御部１５からオン信号が出力されている場合は、トランジスタ１９ｄのコレクタ−エミッタ間が導通することにより、コイル１９ａが励磁状態となり、これによって、接点１９ｂの端子ｃと端子ａとの間が接続され、端子ｃと端子ｂとの間が非接続となる。
【００２８】
ここで、従来の火災受信機は、通常時におけるコイル１９ａの励磁状態を非励磁とし、火災又は故障を検出したときに励磁していた。つまり、火災又は故障を検出したときに、コイル１９ａの励磁状態を非励磁から励磁に変化させて、接点１９ａの端子ａ、ｂ、ｃの接続状態を、端子ｃと端子ａとの間が非接続、端子ｃと端子ｂとの間が接続の状態から、端子ｃと端子ａとの間が接続、端子ｃと端子ｂとの間が非接続の状態に切り替えるものであった。この場合、リレー回路１９の故障、例えばコイル１９ａの脱落が生じた場合、火災又は故障を検出したときに、コイル１９ａの励磁状態は非励磁のまま保持されてしまい、接点１９ａの端子ａ、ｂ、ｃの接続状態を切り替えることができず、つまりは、移報信号を出力することができなかった。そして、特に、船舶などでは、設置環境における振動要因が多いことから、リレー回路１９の故障という不測の事態が発生した場合にも、接点１９ａの接続状態を切り替えて外部機器５０に移報信号を出力したいという要望がある。
【００２９】
そのため、本実施の形態では、記憶部１６には、通常時におけるコイル１６の励磁状態に関する設定データを記憶するリレー機能設定記憶部１６ｃが設けられて、設定データとして、「励磁」又は「非励磁」が設定され記憶されている。設定作業は、例えば、設定データ登録器４０により行われる。
【００３０】
そして、制御部１５（移報制御部の一例）は、リレー機能設定記憶部１６ｃに記憶された設定データを参照して、通常時におけるコイル１９ａの励磁状態を励磁又非励磁に制御し、又、火災又は故障を検出したときに、コイル１９ａの励磁状態を変化させて、接点１９ｂの接続状態を切り替えることにより、リレー回路１９から移報信号を出力させる。
【００３１】
ここで、本実施の形態では、火災受信機ユニット１０は、船舶に設置されていることから、リレー機能設定記憶部１６ｃには、「励磁」が設定され記憶されているものとする。      
【００３２】
そのため、図１に示すように、通常状態では、制御部１５からオン信号が出力されて、トランジスタ１９ｄのコレクタ−エミッタ間が導通することにより、コイル１９ａが励磁して、接点１９ｂは、端子ｃと端子ａとの間が接続され、端子ｃと端子ｂとの間が非接続となっている。そして、リレー回路１９のコイル１９ａが脱落したときには、制御部１５からオン信号の出力が保持されて、トランジスタ１９ｄのコレクタ−エミッタ間が導通を保持するが、コイル１９ａは、脱落により非励磁に変化するので、接点１９ｂは、端子ｃと端子ａとの間が非接続、端子ｃと端子ｂとの間が接続に切り替えられる。また、火災受信機ユニット１０で火災又は故障が検出されたときには、制御部１５からオン信号の出力が停止されて、トランジスタ１９ｄのコレクタ−エミッタ間が非導通となることにより、コイル１９ａが非励磁に変化して、接点１９ｂは、端子ｃと端子ａとの間が非接続、端子ｃと端子ｂとの間が接続に切り替えられる。このように、リレー機能設定記憶部１６ｃの設定データとして、「励磁」を設定することによって、外部機器５０に通知する移報要因として、リレー回路１９の故障を含めることができる。
【００３３】
つぎに、浸水監視盤ユニット２５について説明する。浸水監視盤ユニット２５は、詳細には図示しないが、火災受信機ユニット１０と同様に、操作部と、表示部と、端末伝送部、音響部と、制御部と、記憶部と、ポートと、電源部とを有する（いずれも図示せず）。端末伝送部は、信号線Ｌ２を介して浸水検知センサＷに接続される。また、ポートは、配線Ｈ２を介して、総合監視盤ユニット３０に接続される。そして、浸水監視盤ユニット２５は、浸水、故障などを検出したときに、必要な警報を行い、浸水、故障などを示す信号を、総合監視盤ユニット３０に通知する。
【００３４】
つぎに、総合監視盤ユニット３０について説明する。総合監視盤ユニット３０は、表示操作部３１と、ポート３２、３３と、主警報出力部３４と、副警報出力部３５と、制御部３６と、記憶部３７と、電源部３８とを有する。
【００３５】
表示操作部３１は、タッチパネル付きＬＣＤであり、火災受信機ユニット１０及び異常監視盤ユニット２５から送信される必要な情報（信号）を集約して表示し、又、管理人等が必要な操作入力を行って、火災受信機ユニット１０及び異常監視盤ユニット２５に制御信号を送信する。表示操作部３１は、操作部として、ベル・ブザー停止スイッチ（図示せず）、復旧スイッチ（図示せず）などの各種スイッチを有している。
【００３６】
ポート３２は、配線Ｈ１を介して、火災受信機ユニット１０と接続されて、総合監視盤ユニット３０と火災受信機ユニット１０との間との通信経路となる。ポート３３は、配線Ｈ２を介して、浸水監視盤ユニット２５と接続されて、総合監視盤ユニット３０と浸水監視盤ユニット２５との間との通信経路となる。
【００３７】
主警報出力部３４は、ベルＢ（警報用端末機器の一例）が、制御線Ｍ１を介して接続され、火災受信機ユニット１０で火災が検出されたとき、又は、浸水監視盤ユニット２５で浸水が検出されたときに、ベルＢを鳴動させて主警報を行う。副警報出力部３５は、ブザーＢＺ（警報用端末機器の一例）が、制御線Ｍ２を介して接続され、火災受信機ユニット１０、及び浸水監視盤ユニット２５で故障が検出されたときに、ブザーＢＺを鳴動させて副警報を行う。制御部３６は、総合監視盤ユニット３０の全体を制御する。記憶部３７は、各種の設定データを記憶する。電源部３８は、総合監視盤ユニット３０の各部に電源を供給する。
【００３８】
つぎに、設定データ登録器４０について説明する。設定データ登録器４０は、汎用パソコン等によって構成され、スロットＳＬと、入力部４１と、表示部４２と、制御部４３と、記憶部４４と、ポート４５と、電源部４６とを有する。
【００３９】
スロットＳＬは、メモリカードＭＣが着脱自在である。制御部４３は、設定データ登録器４０の全体を制御し、データベース作成部として機能する。記憶部４４は、ハードディスク等で構成される。ポート４５は、火災受信機ユニット１０の設定データの初期登録時、更新登録時などの必要時に、配線Ｈ１を介して、火災受信機ユニット１０のポート１７に着脱自在に接続される。電源部４６は、設定データ登録器４０の各部に電源を供給する。
【００４０】
ここで、火災受信機ユニット１０の設定データの書替更新作業について説明する。まず、作業員は、メモリカードＭＣをスロットＳＬに挿入し、入力部４１を介してデータを入力し、入力部４１から入力されたデータに基づいて、制御部４３が更新用の設定データを作成し、メモリカードＭＣと記憶部４４とに書き込む。そして、作業員は、総合監視盤ユニット３０のポート３２から配線Ｈ１を取り外し、ポート４５に接続して、ポート４５と火災受信機ユニット１０のポート１７との間を、配線Ｈ１を介して、接続する。そして、入力部４１の操作により、更新用設定データを、制御４３が記憶部４４から取り出し、配線Ｈ１を介して、火災受信機ユニット１０の制御部１５に転送する。そして、火災受信機ユニット１０の制御部１５は、更新用設定データ信号が、配線Ｈ１を介して入力されると、記憶部１５内の対応する設定データを書き替える。
【００４１】
以上のように構成された総合監視盤１００の動作について、以下に説明する。まず、各ユニット１０、２５、３０に電源が投入されて、初期設定が行われ、その後、通常監視動作を開始する。この初期設定時、火災受信機ユニット１０は、音響部機能設定記憶部１６ａに「警報出力なし」が設定されているので、音響部１４により警報出力しない警報出力停止モードとなる。また、操作部機能設定記憶部１６ｂに「無効」が設定されているので、操作部１１のベル・ブザー停止スイッチ（図示せず）、及び復旧スイッチ（図示せず）以外のスイッチの操作を無効とするモードとなる。また、リレー機能設定記憶部１６ｃに「励磁」が設定されているので、制御部１５が、トランジスタ１９ｄにオン信号を出力し、コイル１９ａを励磁させて、接点１９ｂの端子ｃと端子ｂとの間を非接続とし、端子ｃと端子ａとの間を接続する。
【００４２】
通常監視動作において、火災受信機ユニット１０は、火報用端末機器Ｓの状態信号を収集し、火災が発生したか否かを判断する火災判別処理、また、例えば、ユニット１０内の各部が故障したか否かを判断する故障判別処理などを行う。浸水監視盤ユニット２５は、浸水検知センサＷの状態信号を収集し、浸水が発生したか否かを判断する浸水判別処理、また、例えば、ユニット２５内の各部が故障したか否かを判断する故障判別処理などを行う。総合監視盤ユニット３０は、配線Ｈ１、Ｈ２を介して、各ユニット１０、２０と各種信号の送受信を行うなどの監視制御処理を行う。
【００４３】
この通常監視動作において、火災受信機ユニット１０は、火災判別処理によって、火災が発生したことを検出した場合は、表示部１２に火災表示を行い、火災を示す信号を、ポート１７を介して、総合監視盤ユニット３０に送信する。又、故障判別処理によって、故障が発生したことを検出した場合は、表示部１２に故障表示を行い、故障を示す信号を、ポート１７を介して、総合監視盤ユニット３０に送信する。このとき、火災受信機ユニット１０は、制御部１５が、トランジスタ１９ｄにオン信号を出力することを停止し、コイル１９ａを励磁から非励磁に変化させて、接点１９ｂの接続を、端子ｃと端子ｂとの間を接続し、端子ｃと端子ａとの間を非接続にするように切り替えて、移報信号を外部装置５０に出力する。なお、警報出力停止モードのため、音響部１４からは、対応する警報出力をしない。
【００４４】
また、浸水監視盤ユニット２５は、浸水判別処理によって、浸水が発生したことを検出した場合は、表示部（図示せず）に浸水表示を行い、浸水を示す信号を、ポート（図示せず）を介して、総合監視盤ユニット３０に送信する。又、故障判別処理によって、故障が発生したことを検出した場合は、表示部（図示せず）に故障表示を行い、故障を示す信号を、ポート（図示せず）を介して、総合監視盤ユニット３０に送信する。このとき、音響部（図示せず）により、対応する警報出力をしてもよい。
【００４５】
一方、総合監視盤ユニット３０は、配線Ｈ１、Ｈ２を介して、各ユニット１０、２０から火災又は浸水を示す信号を受信した場合、制御部３６の制御により、主警報出力部３４が、ベルＢを鳴動させて警報出力を行う。又、各ユニット１０、２０から故障を示す信号を受信した場合、制御部３６の制御により、副警報出力部３５が、ブザーＢＺを鳴動させて警報出力を行う。
【００４６】
ここで、火災検出により警報を出力している場合を例に挙げて、現場復旧のための管理人の動作について説明する。管理人は、ベルＢの鳴動によって、火災又は浸水が発生したことを認識すると、まず、表示操作部３１のベル・ブザー停止スイッチ（図示せず）を操作する。すると、総合監視盤ユニット３０は、制御部３６の制御により、主警報出力部３４が、ベルＢの鳴動による警報出力を停止する。警報出力の停止後、管理人は、現場確認を行い、火災であれば消火するなどの必要な処置を行う。その後、管理人は、表示操作部３１の復旧スイッチ（図示せず）を操作する。すると、総合監視盤ユニット３０は、制御部３６の制御により、復旧信号を、配線Ｈ１を介して、火災受信機ユニット１０に送信する。火災受信機ユニット１０は、制御部１５が復旧信号を受信して、端末伝送部１３を介して、火報用端末機器Ｓに復旧信号を送信し、当該復旧信号を受信した火報用端末機器Ｓが復旧する。
【００４７】
上記現場復旧のための動作時において、ＬＣＤタッチパネルとしての表示操作部３１が破損して操作不能になった場合は、管理人は、増設操作部２０のベル・ブザー停止スイッチ２０ａ、復旧スイッチ２０ｂを操作する。これにより、火災受信機ユニット１０は、ベル・ブザー停止を示す信号を、配線Ｈ１を介して、総合監視盤ユニット１０に送信して、総合監視盤ユニット３０は、警報出力を停止することができる。また、端末伝送部１３を介して、火報用端末機器Ｓに復旧信号を送信し、当該復旧信号を受信した火報用端末機器Ｓが復旧することができる。
【００４８】
また、通常監視動作において、火災受信機ユニット１０は、リレー回路１９のコイル１９ａの脱落が発生すると、コイル１９ａが励磁状態から非励磁状態に変化するので、接点１９ｂの接続が、端子ｃと端子ｂとの間を接続し、端子ｃと端子ａとの間を非接続にするように切り替えられるので、火災、浸水、故障時と同様に、移報信号を外部装置５０に出力する。
【００４９】
以上のように、本実施の形態に利用される総合監視盤１００の火災受信機ユニット１０は、信号線Ｌ１を介して接続された複数の火報用端末機器Ｓを監視制御して火災を検出する火災受信機ユニット１０と、信号線Ｌ２を介して接続された火報用端末機器Ｓ以外の端末機器（浸水検知センサＷ）を監視制御して火災以外のその他の設置環境の異常（一例として、浸水）を検出する異常監視盤ユニット（浸水監視盤ユニット２５）と、前記火災受信機ユニット１０と異常監視盤ユニット２５とを監視制御して警報する総合監視盤ユニット３０とを備えた総合監視盤１００であって、前記総合監視盤１００は、前記火災受信機ユニット１０、異常監視盤ユニット２５、及び総合監視盤ユニット３０を筐体１０１内部に備え、かつ、前記総合監視盤ユニット３０の表示操作部３１を前記筐体１０１外部から表示操作可能に配置するものであり、前記火災受信機ユニット１０は、当該火災受信機ユニット１０の設定データを記憶する記憶部１６と、当該記憶部１６に当該火災受信機ユニット１０の設定データを設定可能な設定データ登録器４０を着脱可能なポート１７とを備え、前記火災受信機ユニット１０は、前記ポート１７を介して、前記総合監視盤ユニット３０と接続されるものであり、火災受信機ユニット１０は、設定データの初期登録時や更新登録時など以外に、普段はほとんど利用されない設定データ登録器４０用のポート１７を利用して、常時、総合監視盤ユニット３０と通信できて、部品点数を削減して簡素な構成とすることができる。
【００５０】
また、前記総合監視盤ユニット３０は、制御線Ｍ１、Ｍ２を介して警報用端末機器（ベルＢ、ブザーＢＺ）に接続されて、前記火災受信機ユニット１０から送信される火災又は故障を示す信号を受信したときに、前記警報用端末機器Ｂ、ＢＺから警報出力させる警報出力部（主警報出力部３４、副警報出力部３５）を備え、一方、前記火災受信機ユニット１０は、音響部１４と、当該音響部１４による警報出力の有無に関する設定データを記憶する音響部機能設定記憶部１６ａと、当該火災受信機ユニット１０が火災又は故障を検出したときに、前記音響部機能設定記憶部１６ａに記憶された設定データを参照して、前記音響部１４による警報出力の有無を制御する警報制御部（制御部１５）とを備えたものであるので、総合監視盤ユニット３０による警報とのハウリングなどを考慮して、警報の有無を設定できる。
【００５１】
また、前記総合監視盤ユニット３０の表示操作部３１は、前記警報用端末機器Ｂ、ＢＺの警報出力停止、又は、前記火報用端末機器Ｓの復旧のために操作され、一方、前記火災受信機ユニット１０は、前記筐体１０１外部に配置されて、前記警報用端末機器Ｂ、ＢＺの警報出力停止、又は、前記火報用端末機器Ｓの復旧のために操作される増設操作部２０を備えたものであるので、共用の表示操作部３１が破損した場合にも、必要な操作を、筐体１０１外部から簡便に可能とすることができる。
【００５２】
また、前記火災受信機ユニット１０は、コイル１９ａと接点１９ｂとを有する移報出力用のリレー回路１９と、通常時におけるコイル１９ａの励磁状態に関する設定データを記憶するリレー機能設定記憶部１６ｃと、当該リレー機能設定記憶部１６ｃに記憶された設定データを参照して、通常時におけるコイル１９ａの励磁状態を励磁又非励磁に制御し、又、火災又は故障を検出したときに、前記コイル１９ａの励磁状態を変化させて、前記接点１９ｂの接続状態を切り替えることにより、前記リレー回路１９から移報信号を出力させる移報制御部（制御部１５）とを備えたものであるので、外部機器５０に通知する移報要因として、リレー回路１９の故障を含めるか否かを設定できる。
【符号の説明】
【００５３】
１０  火災受信機ユニット、１１  操作部、１２  表示部、１３  端末伝送部、１４音響部、１５  制御部、１６  記憶部、１６ａ  音響部機能設定記憶部、１６ｂ  操作部機能設定記憶部、１６ｃ  リレー機能設定記憶部、１７  ポート、１８  電源部、１９  リレー回路、１９ａ  コイル、１９ｂ  接点、１９ｃ  直流電源、１９ｄ  トランジスタ、２０  増設操作部、２０ａ  ベル・ブザー停止スイッチ、２０ｂ  復旧スイッチ、２５  浸水監視盤ユニット、３０  総合監視盤ユニット、３１  表示操作部、３２  ポート、３３  ポート、３４  主警報出力部、３５  副警報出力部、３６  制御部、３７  記憶部、３８  電源部、４０  設定データ登録器、４１  入力部、４２  表示部、４３  制御部、４４  記憶部、４５  ポート、４６  電源部、５０  外部装置、１０１  筐体、Ｂ  ベル、ＢＺ  ブザー、Ｓ  火報用端末機器、Ｗ  浸水検知センサ、Ｌ１  信号線、Ｌ２  信号線、Ｍ１  制御線、Ｍ２  制御線、Ｈ１  配線、Ｈ２  配線、ＭＣ  メモリカード、ＳＬ  スロット。
【図１】
2013037483.tif 000003